(57)【要約】【課題】本発明は、セダン車等の自動車の車体後部のトランクリッドの内壁面に着脱容易に取り付けることができ、車両を使用した外出先でトランクルーム上部のトランクリッドを開けることで、ミラーを使用する者（以下、対象者という）の上半身を映し、対象者が身だしなみを整えるために使用することができる車両用トランクリッドミラーに関する発明である。【解決手段】本発明は、略長方形状の枠体と、前記枠体の内部に一体化するようにボルト等で取り付けられた対象者の上半身を映すことができるミラーと、前記ミラーを保護するカバーとからなり、トランクリッド内壁面の四隅に取り付けたコ字状の取付金具により、トランクリッドの内壁面に着脱可能に取り付けられることを特徴とする車両用トランクリッドミラーの構成とした。【選択図】  図１
2005028886.tif 000002
【特許請求の範囲】
【請求項１】
略長方形状の枠体と、前記枠体の内部に一体化するようにボルト等で取り付けられた対象者の上半身を映すことができるミラーと、前記ミラーを保護するカバーとからなり、車体のトランクリッド内壁面の四隅に取り付けたコ字状の取付金具により、トランクリッドの内壁面に着脱容易に取り付けられることを特徴とする車両用トランクリッドミラー。
【請求項２】
略長方形状の枠体と前記枠体に一体化するように設けられた上ミラーと、前記上ミラーと蝶番により開閉可能に接続された下ミラーと、前記枠体を構成する縦枠の左右の外側に設けた開閉防止ベルトとからなり、車体のトランクリッド内壁面の４個所に取り付けた取付金具により、トランクリッドの内壁面に着脱容易に取り付けられることを特徴とする車両用トランクリッドミラー。
【発明の詳細な説明】
【０００１】
【発明の属する技術分野】
本発明は、セダン車等の自動車の車体後部のトランクリッドの内壁面に着脱容易に取り付けることができ、車両を使用した外出先でトランクルーム上部のトランクリッドを開けることで、ミラーを使用する者（以下、対象者という）の上半身を映し、対象者が身だしなみを整えるために使用することができる車両用トランクリッドミラーに関する発明である。
【０００２】
【従来の技術】
従来、車両のトランクルームの上部に設けた蓋、即ち、トランクリッドには、着脱可能で上半身を映し出せるミラーは装着されていなかった。一般的に車両に設けられたミラーとしては、車両の内部のフロントガラスに取り付けられたルームミラーや車両外部のサイドミラー、特開２００２−２５４９２８号の公開特許公報に記載の「ミラー付き車両用サンバイザ」に示される、サンバイザの内部に小型ミラーが付けられたミラー付き車両用サンバイザ等がある。
【０００３】
【発明が解決しようとする課題】
しかしながら、従来のルームミラーやミラー付き車両用サンバイザ等のミラーは、ミラーそのものが小さいために、対象者が車両で外出した際に、全身若しくは上半身を映し出すことができず、身だしなみを整えるために使用するミラーとしてはふさわしくないとの問題がある。
【０００４】
従来のルームミラーは、車体の後方を確認するためにフロントガラスの内側に固定して取り付けられていた小型のミラーである。そのため、車体の後方及び後部座席、対象者の目元等の一部のみしか映し出されていない。
【０００５】
また、ルームミラーは小型であるため、目元や髪型の一部しか映し出すことができない。よって、ルームミラーを用いても、髪型若しくは目元の一部しか映し出すことができず、髪型等の上半身の身だしなみが整っているかどうかを確認することはできない。
【０００６】
更に、「ミラー付き車両用サンバイザ」は、車体の運転席又は助手席の上部に固定してサンバイザ本体側に設けられたミラーと、サンバイザ本体側に回動可能に装着されて前記ミラーの鏡面を保護するミラーカバーと、サンバイザ本体側に設けると共に前記ミラーカバーを閉じた位置又は開き位置の少なくとも一方に付勢するカバー付勢部材とを有するミラー付き車両用サンバイザであって、前記カバー付勢部材には、前記ミラーを支持する支持部材が一体に設けられていることを特徴とするミラー付き車両用サンバイザである。よって、ミラー付き車両用サンバイザは、サンバイザに収納できる小型サイズのミラーであるため、上半身をミラーに映し出すことはできなかった。
【０００７】
そこで、本発明では、対象者が髪型や服装の身だしなみを確認する際に、小型化したルームミラーやミラー付き車両用サンバイザに設けられたミラーを使用することなく、上半身を映し出すことができる大きさのミラーを車体後部にあるトランクリッドの内側に着脱容易に取り付けできる、車両用トランクリッドミラーを提供することを目的とするものである。
【０００８】
【課題を解決するための手段】
本発明は、上記の課題を解決するために、略長方形状の枠体と、前記枠体の内部に一体化するようにボルト等で取り付けられた対象者の上半身を映すことができるミラーと、前記ミラーを保護するカバーとからなり、トランクリッド内壁面の四隅に取り付けたコ字状の取付金具により、トランクリッドの内壁面に着脱可能に取り付けられることを特徴とする車両用トランクリッドミラーの構成とした。
【０００９】
【実施例】
以下に、添付図面に基づき、本発明である車両用トランクリッドミラーを詳細に説明する。図１は本発明である車両用トランクリッドミラーを設けた車両の後部斜視図、図２は本発明である車両用トランクリッドミラーの取付位置を示したトランクリッドの正面図である。
【００１０】
図１に示したように、本発明である車両用トランクリッドミラー１は、車体８後方のトランクルーム８ａの上部に開閉可能に設けたトランクリッド６の内部に容易に着脱できるように取り付けできるミラーである。
【００１１】
図２は、本発明である車両用トランクリッドミラーの取付位置を示したトランクリッドの正面図であり、トランクリッドミラー１を取り付ける前の状態である。車両用トランクリッドミラー１は、車体８のトランクリッド６をアーム７を用いて開き、トランクリッド６の内壁面６ａを構成する楕円形状の上貫通孔６ｂ、６ｂと楕円形状の下貫通孔６ｃ、６ｃに四隅を固定するようにして取り付けることができる。尚、前記上貫通孔６ｂと下貫通孔６ｃは、内壁面６ａの内側が空隙であるため、互いに繋がっている。
【００１２】
前記上貫通孔６ｂは、車体８の後方に、リアスポイラー等を取り付けるためとして、左右に対に設けられた孔である。また、下貫通孔６ｃは、車体８の重量を軽量化するために、トランクリッド６の内壁面６ａに対角線上に設けられた複数の孔である。車両用トランクリッドミラー１のサイズを小さくした場合でも、下貫通孔６ｃは複数も受けられているため、取り付け位置を適宜変更することが可能である。
【００１３】
次に、図３及び図４により、本発明である車両用トランクリッドミラー１の構造及びその取り付け方法を説明する。図３は、本発明である車両用トランクリッドミラーの第１実施例を示す斜視図、図４は本発明である車両用トランクリッドミラーの第１実施例を示す左側面図である。
【００１４】
図３に示したように、本発明である車両用トランクリッドミラー１は、略長方形状の枠体２と、前記枠体２の内部に一体化するようにボルト等で取り付けられた対象者の上半身を映すことができるミラー３をコ字状の取付金具４を用いてトランクリッド６の内壁面６ａの四隅に取り付けられたものである。次に枠体２、ミラー３、取付金具４の順にその詳細を説明する。
【００１５】
枠体２は、材質をプラスチック又は樹脂材とし、上枠２ａ、左枠２ｂ、右枠２ｃ、下枠２ｄにより略長方形状に形成された枠体である。枠体２内部には、ミラー３が枠体２と一体化するように、枠体２の内周にミラー３の外周が密接して取り付けられ、ボルト等により固定されている。
【００１６】
ミラー３は、枠体２の内部に取り付けられたものである。本発明で使用するミラー３の形状は枠体２と同様の略長方形状であるが、平板又は湾曲を有したもののどちらでも使用することができる。
【００１７】
また、ミラー３の材質は、よく反射し、曇り、傷、ひずみ等がないステンレス鋼材、アクリル樹脂（メタクリル樹脂）、割れにくいポリカーボネイト樹脂等を使用することができる。更に、ミラー３の内部には、雨天時等にミラー３の曇りを抑える曇り止め用の配線５を設けることができる。前記枠体２及びミラー３は、トランクリッド６を開閉する際に自重で重くならないように各々軽量化したことを特徴とする。
【００１８】
図３及び図４に示したように枠体２及びミラー３を取り付ける取付金具４は、コ字状の上取付金具４ａと下取付金具４ｂとからなる取付部材である。上取付金具４ａと下取付金具４ｂは共に同じ構造で、取り付けの向きを変えたものである。
【００１９】
図４に示したように、取付金具４の取り付け方法は、トランクリッド６の内壁面６ａの内側にある空隙６ｄに、取付金具４を構成する上取付金具４ａと下取付金具４ｂを嵌着する。上取付金具４ａは、車両用トランクリッドミラー１の上部を狭着できるように上貫通孔６ｂに下向きに嵌め込み、下取付金具４ｂは、車両用トランクリッドミラー１の下部を狭着できるように下貫通孔６ｃに上向きに嵌め込む。
【００２０】
車両用トランクリッドミラー１をトランクリッド６に取り付ける取付方法は、上取付金具４ａを上貫通孔６ｂに嵌め込み、下取付金具４ｂを下貫通孔６ｃに嵌め込んだ後、上取付金具４ａ及び下取付金具４ｂの凹部に硬質のスポンジ等からなる緩衝材４ｃを挟み込む。
【００２１】
前記緩衝材４ｃは、車両用トランクリッドミラー１に衝撃が加わり破損することを防止するための部材で、上取付金具４ａ及び下取付金具４ｂの凹部の高さに合わせた大きさとする。
【００２２】
前記緩衝材４ｃを上取付金具４ａ及び下取付金具４ｂに挟み込んだ後、内部に一体化するようにミラー３を取り付けた枠体２の上部の角を上取付金具４ａに嵌合し、下部の角を下取付金具４ｂに嵌合させることで、車両用トランクリッドミラー１の取り付けが完了する。
【００２３】
よって、本発明である車両用トランクリッドミラー１は、取付金具４をトランクリッド６の内壁面６ａの上貫通孔６ｂ及び下貫通孔６ｃに容易に嵌め込むことができると共に、取付金具４の凹部に緩衝材４ｃを挟み、枠体２と一体化したミラー３を取付金具４に嵌合させることで、容易にトランクリッド６に装着できる。
【００２４】
本発明である車両用トランクリッドミラー１に装着するカバーとしては、図５から図１２に示した各種のカバーを用いることができる。即ち、図５及び図６に示した第２実施例のカバー、図７及び図８に示した第３実施例のカバー、図９及び図１０に示した第４実施例のカバー、図１１及び図１２に示した第５実施例のカバーの各カバーを用いることができる。
【００２５】
以下に、カバーの各実施例について説明するが、図５から図１２までに示した車両用トランクリッドミラー１は、全て同一の構造であるため、トランクリッドミラー１についての詳細な説明は省略する。
【００２６】
図５は本発明である車両用トランクリッドミラーの第２実施例のカバーが開いた状態を示す斜視図、図６は本発明である車両用トランクリッドミラーの第２実施例のカバーが閉じた状態の左側面図である。
【００２７】
図５に示すように、本第２実施例では、図３及び図４に示した車両用トランクリッドミラー１に蝶番を用いてミラー３を保護するためのカバー９を取り付けたものである。
【００２８】
カバー９は開閉式であり、上枠９ｃ、左枠９ｄ、右枠９ｅ、下枠９ｆからなる枠体９ａと緩衝材９ｂから構成されている。前記緩衝材９ｂは、図３及び図４に示した取付金具４に狭着された緩衝材４ｃと同一の材質である。
【００２９】
カバー９を構成する上枠９ｃの左右端部にはマグネット９ｇが設けられ、下枠９ｆには２個所に蝶番２ｅ、２ｅが設けられている。一方、車両用トランクミラー１を構成する下枠２ｄには、長辺を３等分した位置に前記カバー９の下枠９ｆに設けられた蝶番２ｅ、２ｅと対になるよう蝶番２ｅ、２ｅが設けられている。前記蝶番２ｅ、２ｅにより、車両用トランクリッドミラー１とカバー９は開閉可能に接続されている。
【００３０】
図６に示したように、本発明の第２実施例である車両用トランクリッドミラー１のカバー９が閉じた場合には、カバー９の上枠９ｃの左右端部に設けられたマグネット９ｇ、９ｇと、トランクリッドミラー１の上取付金具４ａ、４ａの表面に取り付けられたマグネット４ｄ、４ｄが密着することで、カバー９が閉じた状態を保持することができる。
【００３１】
図７は本発明である車両用トランクリッドミラーの第３実施例のカバーを嵌合する状態を示す斜視図、図８は第３実施例のカバーを嵌合した状態を示す左側面図である。
【００３２】
図７及び図８に示すように、本発明の第３実施例を構成するトランクリッドミラー１のカバー１０は、脱着式のカバーであり、本体１０ａと、本体１０ａの背面を構成する凹状の窪み１０ｂとからなる。本体１０ａの材質としては、軽量強化発泡スチロール等を使用する。
【００３３】
本第３実施例のカバー１０は、車両用トランクリッドミラー１の四隅の取付金具４、即ち、上取付金具４ａ、４ａ及び下取付金具４ｂ、４ｂの表面に本体１０ａの四隅を覆い被すようにして、簡単に嵌め込むことができる。尚、車両用トランクリッドミラー１を使用する際には、前記カバー１０を取り外し、使用する。
【００３４】
図９及び図１０は、本発明である車両用トランクリッドミラーの第４実施例を示した図である。即ち、図９は本発明の第４実施例のカバーを取り付ける状態を示す斜視図、図１０は本発明の第４実施例のカバーを取り付けた状態を示す左側面図である。本第４実施例を構成するカバー１２は、図７及び図８に示したカバー１０と同様に、脱着式のカバーである。
【００３５】
カバー１２は、布製で表面１２ａと裏面１２ｂとからなり、裏面１２ｂの四隅に長方形状の両面接着テープ１２ｃ、１２ｃ、１２ｃ、１２ｃを貼着させたものであり、車両用トランクリッドミラー１から取り外した後に、小さく折りたたむことで、カバー１２の収納効率を向上させたことを特徴とする。
【００３６】
カバー１２を使用する本第４実施例では、車両用トランクリッドミラー１の上取付金具４ａ、４ａ及び下取付金具４ｂ、４ｂの表面に両面接着テープ１１、１１、１１、１１を取り付け、前記両面接着テープ１１、１１、１１、１１とカバー１２の裏面１２ｂに貼着させて両面接着テープ１２ｃ、１２ｃ、１２ｃ、１２ｃを密着させることでカバー１２を車両用トランクリッドミラー１に装着する。
【００３７】
図１１及び図１２には、本発明である車両用トランクリッドミラーの第５実施例を示した。図１１は本発明の第５実施例を示す斜視図、図１２は本発明の第５実施例を示す左側面図である。
【００３８】
図１１及び図１２に示したように、本発明である車両用トランクリッドミラーの第５実施例は、車両用トランクリッドミラー１を構成する上枠２ａの表面にかかるよう、上取付金具４ａの上部に、ミラー３を保護し、且つ保護カバーの収納効率を向上するための市販性のロールカーテン１３を設けたものである。前記ロールカーテン１３とは、布製のカーテン１３ｃを引き下ろすと固定され、再度カーテンを引っ張るとスプリング等で巻き上げられる装置である。
【００３９】
ロールカーテン１３は、上取付金具４ａに取り付けるために設けたコ字状の支持部材１３ａと、支持部材１３ａの内部で車両用トランクリッドミラー１のミラー３の表面を保護するカーテン１３ｃと、前記カーテン１３ｃをスプリングで引き下げ又は巻き上げる捲着部材１３ｂと、カーテン１３ｃの下端を止め、スプリング等で巻き上げる紐を取り付けた棒状の引張部材１３ｄとからなることを特徴とする。
【００４０】
図１３から図１５に示した図は、本発明である車両用トランクリッドミラーの第６実施例である。図１３は本発明の第６実施例のミラーを開いた状態を示す斜視図、図１４は本発明の第６実施例のミラーを折り畳んだ状態を示す斜視図、図１５は本発明の第６実施例のミラーを開いた状態を示す左側面図である。
【００４１】
図１３から図１５に示したように、本発明である車両用トランクリッドミラーの第６実施例は、折り畳み式のトランクリッドミラー１ａとすることで、保護カバーの収納効率を向上すると共に、車両用トランクリッドミラー１ａのサイズを小型化した。
【００４２】
折り畳み式である本発明の第６実施例の車両用トランクリッドミラー１ａは、上ミラー３ａと、上ミラー３ａに蝶番を用いて接続された下ミラー３ｂと、前記上ミラー３ａ及び下ミラー３ｂを車体８のトランクリッド６の内壁面６ａに取り付けるための取付金具４と、下ミラー３ｂの開閉を防止する開閉防止ベルト１４とからなる。
【００４３】
上ミラー３ａは、枠体２ｆにより外周を保護され、前記枠体２ｆの下部には上ミラー３ａと下ミラー３ｂを接続するための蝶番を設け、上ミラー３ａの上部左右端及び下ミラー３ｂの下部左右端には、互いに密着するマグネット３ｃ、３ｃをそれぞれ取り付けた。よって、上ミラー３ａ及び下ミラー３ｂは、前記マグネット３ｃ、３ｃを密着させることで下ミラー３ｂの開閉を防止することができる。
【００４４】
車両用トランクリッドミラー１ａに設けられた開閉防止ベルト１４は、マグネット３ｃ、３ｃを密着させ折り畳んだ後に、さらに下ミラー３ｂの開閉を防止するためのベルトである。開閉防止ベルト１４ａは、枠体２ｆを構成する縦枠２ｇの左右外方に設けた回転式のローラーベルト１４ａ、１４ａと、ローラーベルト１４ａ、１４ａの先端に設け、ローラーベルト１４ａ、１４ａを互いに引っ張り、嵌着できるバックル１４ｂ、１４ｂとからなる。
【００４５】
図１４に示すように、下ミラー３ｂを折り畳んだ状態を保持するためには、下ミラー３ｂを折り畳み、マグネット３ｃ、３ｃにより上ミラー３ａと密着させた後、ローラーベルト１４ａ、１４ａを引き出し、バックル１４ｂ、１４ｂを嵌合させることで、下ミラー３ｂを押さえる。
【００４６】
【発明の効果】
本発明は、以上に説明したような構成であるから、以下の効果が得られる。
第１に本発明である車両用トランクリッドミラーは、容易にトランクリッドに取り付けることができる。
【００４７】
第２に、本発明である車両用トランクリッドミラーを車体に装着させることで、外出先で対象者が髪型や服装の身だしなみを確認する際、トランクリッドを開けるだけで、簡単に上半身の身だしなみを映し出し、確認することができる。
【００４８】
第３に本発明である車両用トランクリッドミラーは、上下開閉式のトランクリッドのみならず、左右に開閉するトランクリッドに取り付けることも可能であるため、セダン車のみならず、軽自動車のように左右に開閉するトランクリッド等にも幅広く使用できる。
【図面の簡単な説明】
【図１】本発明である車両用トランクリッドミラーを設けた車両の後部斜視図である。
【図２】本発明である車両用トランクリッドミラーの取付位置を示したトランクリッドも正面図である。
【図３】本発明である車両用トランクリッドミラーの第１実施例を示す斜視図である。
【図４】本発明である車両用トランクリッドミラーの第１実施例の左側面図である。
【図５】本発明である車両用トランクリッドミラーの第２実施例のカバーが開いた状態を示す斜視図である。
【図６】本発明である車両用トランクリッドミラーの第２実施例のカバーが閉じた状態を示す左側面図である。
【図７】本発明である車両用トランクリッドミラーの第３実施例のカバーを嵌合する状態を示す斜視図である。
【図８】本発明である車両用トランクリッドミラーの第３実施例のカバーを嵌合した状態を示す左側面図である。
【図９】本発明である車両用トランクリッドミラーの第４実施例のカバーを取り付ける状態を示す斜視図である。
【図１０】本発明である車両用トランクリッドミラーの第４実施例のカバーを取り付けた状態を示す左側面図である。
【図１１】本発明である車両用トランクリッドミラーの第５実施例を示す斜視図である。
【図１２】本発明である車両用トランクリッドミラーの第５実施例を示す左側面図である。
【図１３】本発明である車両用トランクリッドミラーの第６実施例のミラーの開いた状態を示す斜視図である。
【図１４】本発明である車両用トランクリッドミラーの第６実施例のミラーを折り畳んだ状態を示す斜視図である。
【図１５】本発明である車両用トランクリッドミラーの第６実施例のミラーを開いた状態を示す左側面図である。
【符号の説明】
１          車両用トランクリッドミラー
１ａ        車両用トランクリッドミラー
２          枠体
２ａ        上枠
２ｂ        左枠
２ｃ        右枠
２ｄ        下枠
２ｅ        蝶番
２ｆ        枠体
２ｇ        縦枠
３          ミラー
３ａ        上ミラー
３ｂ        下ミラー
３ｃ        マグネット
４          取付金具
４ａ        上取付金具
４ｂ        下取付金具
４ｃ        緩衝材
４ｄ        マグネット
５          配線
６          トランクリッド
６ａ        内壁面
６ｂ        上貫通孔
６ｃ        下貫通孔
６ｄ        空隙
７          アーム
８          車体
８ａ        トランクルーム
９          カバー
９ａ        枠体
９ｂ        緩衝材
９ｃ        上枠
９ｄ        左枠
９ｅ        右枠
９ｆ        下枠
１０        カバー
１０ａ      本体
１０ｂ      窪み
１１        両面接着テープ
１２        カバー
１２ａ      表面
１２ｂ      裏面
１２ｃ      両面接着テープ
１３        ロールカーテン
１３ａ      支持部材
１３ｂ      捲着部材
１３ｃ      カーテン
１３ｄ      引張部材
１４        開閉防止ベルト
１４ａ      ローラーベルト
１４ｂ      バックル
【図１】
2005028886.tif 000003
【図２】
2005028886.tif 000004
【図３】
2005028886.tif 000005
【図４】
2005028886.tif 000006
【図５】
2005028886.tif 000007
【図６】
2005028886.tif 000008
【図７】
2005028886.tif 000009
【図８】
2005028886.tif 000010
【図９】
2005028886.tif 000011
【図１０】
2005028886.tif 000012
【図１１】
2005028886.tif 000013
【図１２】
2005028886.tif 000014
【図１３】
2005028886.tif 000015
【図１４】
2005028886.tif 000016
【図１５】
2005028886.tif 000017